(57)【特許請求の範囲】
【請求項１】
小屋裏と室内との間に設けられた換気通路内に構成される換気構造に於て、片側に一部に凹所を有し野縁に当接される取付水平片と起立面と見切り片とにより形成される断面略コ字形状の天井見切り部材を天井板の端部側に配設し、片側に起立面を有する壁見切り部材を壁に配設し、前記両部材の起立面を所定の隙間を介して対峙させて換気流通路を形成し、かつ換気流通路の上部にスリット穴等の通気穴を有する換気部材を、前記野縁と前記取付水平片の凹所との間に差し込み取付けて構成したことを特徴とした小屋裏の防火換気構造。
【請求項２】
前記換気流通路を形成する起立面の所定位置に体積膨張性不燃材を取付けて構成したことを特徴とした請求項１の小屋裏の防火換気構造。
【請求項３】
前記壁見切り部材の一端部に角度調節金物を回転自在に連結し、該角度調節金物を介して壁見切り部材を壁に取付けて構成したことを特徴とした請求項１或は請求項２の小屋裏の防火換気構造。
【発明の詳細な説明】
【０００１】
【発明の属する技術分野】
本発明は室内或は軒下（本件明細書に於ては単に室内という）と天井裏との換気通路に設けられる防火換気構造に係り、特に防火換気構造を３部材で構成することによって、その構成を単純化して安価に大量生産することが出来、かつ勾配天井にもそのまま対応出来、しかも必要に応じて部材を簡単に交換することも出来る小屋裏の防火換気構造を提供するものである。
【０００２】
【従来の技術】
従来、体積膨張性不燃材等の防火部材を内蔵させて火災時に換気通路を閉鎖し得るようにした防火換気構造としては、例えば本件特許出願人が開発して特許出願した特開平６−７３８２８号公報に示す技術（以下第１公知技術という）が知られている。
【０００３】
前記第１公知技術は、図７（ａ）、（ｂ）に示す如く、小屋裏５１と室内５２とに換気通路５３を設けるために、天井板５４と壁面５５との間に所定の隙間を設けていた。そして、この換気通路５３内に後述するような換気構造体５６を取り付けていた。
【０００４】
この換気構造体５６は、特に図７（ｂ）によって明らかな如く、１枚のスチール板、ステンレス板等よりなる約１２００℃の温度にも耐える高温溶融金属材を、ロールホーミング等で複雑に折曲プレス成形することによって内部に換気流通路５７を有する中空状の換気支持ケース５８を形成していた。
【０００５】
該換気支持ケース５８には、その上面と下面とに夫々多数の換気孔５９を設けると共に、その内底面の所定位置に体積膨張性不燃材６０を収納し得る凹所６１を設けていた。また、片側面の上下には夫々天井板５４を上下から挟持し得る折曲突リブ６２、６３を突設していた。図中６４は屋根、６５は鼻先隠し板である。
【０００６】
また、前述のような構造を有する換気構造体５６を図８（ａ）、（ｂ）に示すような勾配を持った天井に取付ける場合には、例えば同図（ａ）に示す如く、Ｌ字型の斜め止め金具６６を使用し、この斜め止め金具６６をビス等の固定具６７によって壁側に取付けた後で、換気構造体５６を斜め止め金具６６に取付けていた。
【０００７】
さらに、前述のような斜め止め金具６６を使用しない場合には、図８（ｂ）に示す如く、特定の角度を持って加工された斜めブロック６８を予め形成し、この斜めブロック６８を壁側と野縁６９の間に介在させることによって、天井板５４に勾配を持たせていた。
【０００８】
【発明が解決しようとする課題】
然るに、前述の第１公知技術に於いては、図７（ａ）、（ｂ）に示す如く、比較的加工が困難であり、かつ高価なスチール或いはステンレス等の高温溶融金属材を極めて複雑な形状に折曲プレス成形しなければならないので、加工が困難であり、かつ安価に大量生産することが困難である問題があった。
【０００９】
また、このようなスチールを使用した場合には、長年に亘って使用していると錆び易く、特に多数の換気孔５９の周りが腐蝕によってくずれて穴が大きくなり、意匠性を損なうと共に、虫や鳥類が屋内に侵入する等の問題があった。ステンレスを使用した場合にも、長年使用されていると塩害等によって錆が発生し、前記スチールを使用した場合と同様な問題が発生する恐れがあった。
【００１０】
さらに、前述の図８（ａ）、（ｂ）に示す如く、勾配を持った天井に換気構造体５６を取付ける場合には、特殊な斜め止め金具６６或は斜めブロック６８を予め用意し、これ等の斜め止め金具６６或は斜めブロック６８等を介して換気構造体５６を取付けなければならないので、施工作業が複雑でコスト高になる問題があった。
【００１１】
また、前記斜め止め金具６６を使用する際には、勾配の異なる天井に対応させるために、図８（ａ）に示す如く、１辺の巾の長さＡを変化させた数種類の斜め止め金具６６を予め用意しなければならかなかった。斜めブロック６８の場合にも、その一部の傾斜面の角度が異なる数種類の斜めブロック６８を用意しなければならず、共に煩雑であり、コスト高になる問題があった。
【００１２】
本発明に係る小屋裏の防火換気構造は、前述の従来の多くの問題点に鑑み開発された全く新しい技術であって、特に、防火換気構造を３部材で構成することによって、その構成を単純化して安価に大量生産することが出来、かつ勾配天井にもそのまま対応出来、しかも必要に応じて部材を簡単に交換することも出来る小屋裏の防火換気構造を提供するものである。
【００１３】
【課題を解決するための手段】
本発明に係る小屋裏の防火換気構造は、前述の従来の問題点を根本的に改善した技術であって、その第１発明の要旨は、小屋裏と室内との間に設けられた換気通路内に構成される換気構造に於て、片側に一部に凹所を有し野縁に当接される取付水平片と起立面と見切り片とにより形成される断面略コ字形状の天井見切り部材を天井板の端部側に配設し、片側に起立面を有する壁見切り部材を壁に配設し、前記両部材の起立面を所定の隙間を介して対峙させて換気流通路を形成し、かつ換気流通路の上部にスリット穴等の通気穴を有する換気部材を、前記野縁と前記取付水平片の凹所との間に差し込み取付けて構成したことを特徴とした小屋裏の防火換気構造である。
【００１４】
前述の第１発明に於ては、換気構造を天井見切り部材と壁見切り部材と及び換気部材との３部材で構成したので、全体の構成を極めて単純化させることが出来、かつ部材を夫々安価に大量生産することが出来る。
【００１５】
また、本発明の換気構造を施工するに当っては、天井見切り部材を天井板の端部側に取付け、壁見切り部材を壁側に取付けることによって、両部材の起立面で所望の巾の換気流通路を極めて簡単に構成することが出来る。
【００１６】
さらに、本発明に於ては、前述のように換気流通路が天井見切り部材と壁見切り部材とで形成された後で、多数のスリット穴等を有する換気部材をこの換気流通路の上部に戴置固定することによって換気流通路の換気部を簡単に構成することが出来る。この換気部材は、市販の金網を所定の寸法に切断することによって使用することが可能である。かつ長年使用して錆びたり、腐蝕によって穴があいた場合には、この部材のみを容易に交換することが出来る。
【００１７】
本発明の換気構造の第２発明は、前記換気流通路を形成する起立面の所定位置に体積膨張性不燃材を取付けて構成したことを特徴とした第１発明の小屋裏の防火換気構造である。
【００１８】
前記第２発明に於ては、換気流通路を形成する起立面の所定位置に体積膨張性不燃材を取付けて構成したので、火災が発生してこの換気流通路に火炎等が侵入した場合には、この体積膨張性不燃材が膨張して換気流通路を閉鎖するので、これによって火炎等が換気流通路を通過して小屋裏に侵入することを防止出来る。
【００１９】
本発明の換気構造の第３発明の要旨は、前記壁見切り部材の一端部に角度調節金物を回転自在に連結し、該角度調節金物を介して壁見切り部材を壁に取付けて構成したことを特徴とした第１発明或は第２発明の小屋裏の防火換気構造である。
【００２０】
前述の第３発明に於ては、前記壁見切り部材の一端部に角度調節金物を回転自在に連結して構成したので、天井に勾配がある場合には、壁見切り部材を角度調節金物に対して回動することによって、任意の勾配角度にも簡単に対応させることが出来る。従って、従来用いていた前述の斜め止め金具や斜めブロック等の使用を全く不要とすることが出来る。
【００２１】
【発明の実施の形態】
図により本発明に係る小屋裏の防火換気構造の一実施例を図により説明すると、図１は本発明に係る防火換気構造の縦断面説明図、図２は図１の防火換気構造に使用される部材の斜視説明図である。
【００２２】
図３は天井に勾配を設けた場合の第１実施例の要部の断面説明図、図４（ａ）、（ｂ）、（ｃ）は夫々図３の第１実施例の天井の勾配角度を変化させる場合の断面説明図、図５は天井に勾配を設けた場合の第２実施例の要部の断面説明図、図６（ａ）、（ｂ）、（ｃ）は夫々図５の第２実施例の天井勾配角度を変化させる場合の断面説明図である。
【００２３】
図１及び図２に於て、本発明に係る防火換気構造１は、天井見切り部材２と、壁見切り部材３と及び換気部材４とを夫々組合せると共に、小屋裏５と室内６との間に設けられた換気通路７に取付けることによって構成されている。図中２６は屋根、２７は鼻隠し板である。
【００２４】
前記天井見切り部材２は野縁８の下面に当接されて取付けられるビス穴９ａを有する取付水平片９と、起立面１０と、及び見切り辺１１とが断面コ字形に折曲げられることによって形成されている。この天井見切り部材２には天井板１２の端部が挿入し得るように構成されている。前記天井見切り部材２の起立面１０には段部１０ａが設けられており、この段部１０ａには体積膨張性不燃材１３が取付けられている。
【００２５】
前記壁見切り部材３は、野縁８の上面に当接されて取付けられるビス穴１４ａを有する取付水平片１４と、壁下地材１５に当接されて取付けられるビス穴１６ａを有する取付垂直片１６と、換気部材４の一端部を支持し得る水平支持片１７とが断面コ字形に折曲げられており、この内部に野縁８の一端部が挿入し得るように構成されている。また、水平支持片１７の下方には起立面１８と見切り片１９とが順に連設されている。図中２０はネジであって、天井見切り部材２と壁見切り部材３とを夫々野縁８或は壁下地材１５に取付けている。
【００２６】
本発明の構成に当っては、前述の天井見切り部材２と壁見切り部材３とを夫々野縁８或は壁下地材１５に取付け固定することによって、天井見切り部材２と壁見切り部材３との夫々に設けられた起立面１０、１８の組合せにより換気流通路２１を形成している。
【００２７】
前記換気部材４には多数のスリット穴２２が設けられている。この換気部材４は、前述のように構成された換気流通路２１の上部に取付けられている。この換気部材４は、一般に市販されている金網を所定の寸法に切断することによって用いることが出来る。
【００２８】
換気部材４を換気流通路２１の上部に取付けるに当っては、図に示すように、天井見切り部材２の取付水平片９の一部に凹所を形成し、この凹所の中に換気部材４を落し込んで取付けることも可能である。さらには換気部材４を前記取付水平片９或は壁見切り部材３の水平支持片１７にビス止めすることも可能である。従って、この換気部材４は、長年使用して錆びたり、或は穴が大きくなった場合には、簡単に交換することが出来る。
【００２９】
前述の本発明に係る小屋裏の防火換気構造に於ては、天井（特に軒天井）に勾配がある場合にも、例えば図３乃至図６（ａ）、（ｂ）、（ｃ）に示す如く、簡単に対応することが出来る。
【００３０】
図３に於て、２３は角度調節金物であって、壁見切り部材３を壁側に取付ける際の取付金物の作用も有している。この角度調節金物２３は断面がほぼＬ形を有しており、その先端縁には彎曲折曲部２４が形成されている。また、この彎曲折曲部２４は、前記壁見切り部材３の元端縁に設けられた彎曲折曲部２５内に回動自在に嵌入し、これによって角度調節金物２３を壁見切り部材３に結合し得るように構成されている。
【００３１】
図３に示す防火換気構造に於ては、前述のように壁見切り部材３の元端縁の彎曲折曲部２５に角度調節金物２３を回動自在に結合させて構成したので、角度調節金物２３をネジ２０を介して壁側に上向きに取付け固定することによって、壁見切り部材３及びこの壁見切り部材３に保持される野縁８を夫々壁側に対して所定の角度に傾斜させ、天井板１２に所定の勾配を設けることが出来るように構成されている。
【００３２】
図４（ａ）、（ｂ）、（ｃ）は、夫々壁見切り部材３を壁側に対して所定の角度に傾斜させた実施例である。図４（ａ）の場合には、壁見切り部材３を壁側に対して１寸勾配に傾斜させ、同図（ｂ）の場合には５寸勾配に傾斜させ、同図（ｃ）の場合には１２寸勾配に傾斜させて構成している。
【００３３】
前記図３及び図４（ａ）、（ｂ）、（ｃ）に於ては、角度調節金物２３を上向きにして壁側に取付けたが、このように上向きに取付けると不都合が生ずる場合には、図５及び図６（ａ）、（ｂ）、（ｃ）に示す如く、角度調節金物２３を下向きにして取付けることも可能である。
【００３４】
以上の説明でも明らかな如く、本発明の防火換気構造に於ては、極めて簡単な形状を有する角度調節金物２３を壁見切り部材３の元端部に結合させることによって、この角度調節金物２３を介して天井の勾配を自由に変えることが出来る。
【００３５】
【発明の効果】
本発明に於ては、換気構造を天井見切り部材と壁見切り部材と及び換気部材との３部材で構成したので、全体の構成を極めて単純化させることが出来、かつ部材を夫々安価に大量生産することが出来る効果を有している。また、本発明の換気構造を施工するに当っては、天井見切り部材を天井板の端部側に取付け、壁見切り部材を壁側に取付けることによって、両部材の起立面で所望の巾の換気流通路を極めて簡単に構成することが出来る効果を有している。
【００３６】
さらに、本発明に於ては、前述のように換気流通路が天井見切り部材と壁見切り部材とで形成された後で、多数のスリット穴等を有する換気部材をこの換気流通路の上部に戴置固定することによって換気流通路の換気部を簡単に構成することが出来る。この換気部材は、市販の金網を所定の寸法に切断することによって使用することが可能である。かつ長年使用して錆びたり、腐蝕によって穴があいた場合には、この部材のみを容易に交換することが出来る等の多大な効果を有している。
【００３７】
前述の本発明に於て、換気流通路を形成する起立面の所定位置に体積膨張性不燃材を取付けて構成した場合には、火災が発生してこの換気流通路に火炎等が侵入した時に、この体積膨張性不燃材が膨張して換気流通路を閉鎖するので、これによって火炎等が換気流通路を通過して小屋裏に侵入することを防止出来る効果を有している。
【００３８】
また、本発明に於て、前記壁見切り部材の一端部に角度調節金物を回転自在に連結して構成した場合には、天井に勾配がある場合に、壁見切り部材を角度調節金物に対して回動することによって、任意の勾配角度にも簡単に対応させることが出来る。従って、従来用いていた前述の斜め止め金具や斜めブロック等の使用を全く不要とすることが出来る効果を有している。この金物は水平方向でも移動可能なため取付装置を任意に決めて取付が可能である効果を有している。
【図面の簡単な説明】
【図１】  図１は本発明に係る防火換気構造の縦断面説明図である。
【図２】  図２は図１の防火換気構造に使用される部材の斜視説明図である。
【図３】  図３は天井に勾配を設けた場合の第１実施例の要部の断面説明図である。
【図４】  図４（ａ）、（ｂ）、（ｃ）は夫々図３の第１実施例の天井の勾配角度を変化させる場合の断面説明図である。
【図５】  図５は天井に勾配を設けた場合の第２実施例の要部の断面説明図である。
【図６】  図６（ａ）、（ｂ）、（ｃ）は夫々図５の第２実施例の天井勾配角度を変化させる場合の断面説明図である。
【図７】  図７（ａ）、（ｂ）は前述の従来の第１公知技術を示す説明図である。
【図８】  図８（ａ）、（ｂ）は前述の従来の勾配を有する天井の換気構造を示す説明図である。
【符号の説明】
１ …防火換気構造
２ …天井見切り部材
３ …壁見切り部材
４ …換気部材
５ …小屋裏
６ …室内
７ …換気通路
８ …野縁
９ …取付水平片
９ａ …ビス穴
１０ …起立面
１０ａ…段部
１１ …見切り辺
１２ …天井板
１３ …体積膨張性不燃材
１４ …取付水平片
１４ａ…ビス穴
１５ …壁下地材
１６ …取付垂直片
１６ａ…ビス穴
１７ …水平支持片
１８ …起立面
１９ …見切り片
２０ …ネジ
２１ …換気流通路
２２ …スリット穴
２３ …角度調節金物
２４ …彎曲折曲部
２５ …彎曲折曲部
２６ …屋根
２７ …鼻隠し板
５１ …小屋裏
５２ …室内
５３ …換気通路
５４ …天井板
５５ …壁面
５６ …換気構造体
５７ …換気流通路
５８ …換気支持ケース
５９ …換気孔
６０ …体積膨張性不燃材
６１ …凹所
６２ …折曲突リブ
６３ …折曲突リブ
６４ …屋根
６５ …鼻先隠し板
６６ …斜め止め金具
６７ …固定具
６８ …斜めブロック
６９ …野縁
【図１】
0004499910.tif 000002
【図２】
0004499910.tif 000003
【図３】
0004499910.tif 000004
【図４】
0004499910.tif 000005
【図５】
0004499910.tif 000006
【図６】
0004499910.tif 000007
【図７】
0004499910.tif 000008
【図８】
0004499910.tif 000009